(57)【特許請求の範囲】
【請求項１】
液体リチウムに反応しない物性の粒状消火剤を充填した密閉容器と、液体リチウム使用場所に設置したノズル及び温度検出手段と、遠隔操作弁を有し且つ密閉容器及びノズルに接続された送給管と、密閉容器に接続され且つ不活性ガスを充填したガス供給源と、温度検出手段からの温度検出信号に基づき遠隔操作弁へ作動信号を出力する制御手段とを備え、密度が０．５以下になるように、直径が１ｍｍ以下の粒状の固体を黒鉛でコーティングしたものを、粒状消火剤に用いたことを特徴とする液体リチウム用消火設備。
【発明の詳細な説明】
【０００１】
【発明の属する技術分野】
本発明は液体リチウム用消火設備に関するものである。
【０００２】
【従来の技術】
図３は中性子散乱施設に用いる液体金属ループの一例を示すものであり、この液体金属ループは、陽子ビームＤが入射し得る中空構造のターゲット１と、該ターゲット１の下方に配置され且つ液体リチウムＬｉを吐出する循環ポンプ２と、該循環ポンプ２の吐出口とターゲット１の流入口との間に介在し且つ液体リチウムＬｉを２次流体によって冷却する熱交換器３と、前記ターゲット１の流出口と循環ポンプ２の吸引口との間に介在し且つ液体リチウムＬｉを貯留して自由液面を形成させるクエンチタンク４と、循環ポンプ２、熱交換器３、ターゲット１、及びクエンチタンク４で構成されるループ内の液体リチウムＬｉを回収し得るダンプタンク５とを備え、ループ内を真空に保持している。
【０００３】
上記の循環ポンプ２には、通電液体の流路を横切るように大電流を通電し且つ液体流通方向及び通電方向に対して直交する磁界を形成して通電液体を移動させる電磁ポンプが用いられている。
【０００４】
図３に示す液体金属ループでは、液体リチウムＬｉがターゲット１内に連続的に流通している状態で、当該ターゲット１に陽子ビームＤが入射すると、液体リチウムＬｉに陽子が衝突する際の核破砕反応（スポレーション反応）によって高速中性子が発生する。
【０００５】
【発明が解決しようとする課題】
液体リチウムが配管や容器から漏洩した場合、大気中の水分及び窒素などと反応して急激に発熱するが、従来は、液体リチウムの使用量が少なかったので、液体リチウム漏洩時の消火についての具体的な提案はなされていなかった。
【０００６】
しかしながら、上述のような大量の液体リチウムを使用する施設においては、液体リチウムの漏洩を想定した安全対策が必要である。
【０００７】
そこで、使用場所をアルゴンガスで充満して不活性ガス環境とし、漏洩した液体リチウムの反応を食い止める方法が考えられるが、コスト的に非常に高くなる。
【０００８】
本発明は上述した実情に鑑みてなしたもので、漏洩した液体リチウムの発熱を迅速に且つ確実に抑制できる液体リチウム用消火設備を提供することを目的とするものである。
【０００９】
【課題を解決するための手段】
上記目的を達成するため、本発明のリチウム用消火設備では、液体リチウムに反応しない物性の粒状消火剤を充填した密閉容器と、液体リチウム使用場所に設置したノズル及び温度検出手段と、遠隔操作弁を有し且つ密閉容器及びノズルに接続された送給管と、密閉容器に接続され且つ不活性ガスを充填したガス供給源と、温度検出手段からの温度検出信号に基づき遠隔操作弁へ作動信号を出力する制御手段とを備え、密度が０．５以下になるように、直径が１ｍｍ以下の粒状の固体を黒鉛でコーティングしたものを、粒状消火剤に用いている。
【００１０】
本発明の液体リチウム用消火設備においては、液体リチウムが漏洩して液体リチウム使用場所の温度が上昇すると、温度検出手段からの温度検出信号に基づき制御手段が出力する作動信号によって遠隔操作弁が開放される。
【００１１】
これにより、ガス供給源内の不活性ガスと、該不活性ガスに随伴される密閉容器内の粒状消火剤とが、送給管を経てノズルから噴出し、液体リチウム使用場所に漏洩した液体リチウムを被覆する。
【００１２】
【発明の実施の形態】
以下、本発明の実施の形態を、図示例とともに説明する。
【００１３】
図１は本発明の液体リチウム用消火設備の実施の形態の一例を示すものであり、図中、図３と同一の符号を付したものは同一物を表している。
【００１４】
この液体リチウム用消火設備は、粒状消火剤６を充填した密閉容器７と、各液体リチウム使用場所（ターゲット１及びクエンチタンク４が配置されている部屋、循環ポンプ２及び熱交換器３が配置されている部屋、ダンプタンク５が配置されている部屋）のそれぞれに設置したノズル８及び温度検出手段９と、密閉容器７と各ノズル８とを連通する送給管１０と、アルゴンガスを充填したガス供給源１１と、各温度検出手段９ごとに設けられ且つ該温度検出手段９からの温度検出信号９ｓに基づき作動信号１５ｓを出力する制御手段１２とを備えている。
【００１５】
粒状消火剤６には、密度が０．５以下になるように、低密度で且つ直径１ｍｍ以下の粒子状の固体（例えばスポンジ状の樹脂、セラミックスなど）を液体リチウムが反応しない黒鉛でコーティングしたものを用いている。
【００１６】
密閉容器７は、液体金属ループの上方の部屋にガス供給源１１とともに配置されており、密閉容器７の上部には、ガス供給源１１に連通するガス管路１３が接続されている。
【００１７】
このガス管路１３には、ガス供給源１１から密閉容器７へ供給すべきアルゴンガスを一定圧力に保つための減圧弁１４が設けられている。
【００１８】
各ノズル８には、密閉容器７の下部に連通する送給管１０が接続されており、また、各送給管１０には、密閉容器７からノズル８への不活性ガス及び粒状消火剤６の流通を許容しあるいは閉止する遠隔操作弁１５が設けられている。
【００１９】
図１に示す液体リチウム消火設備では、液体リチウムＬｉが漏洩して液体リチウム使用場所の温度が上昇すると、当該場所に配置されている温度検出手段９が上昇温度を検出し、制御手段１２に対して温度検出信号９ｓを出力する。
【００２０】
この温度検出信号９ｓに基づき、液体リチウムＬｉの漏洩が生じた部屋に対応する制御手段１２が出力する作動信号１５ｓによって遠隔操作弁１５が開放される。
【００２１】
これにより、ガス供給源１１に充填されているアルゴンガスによって密閉容器７から送給管１０へ送出される粒状消火剤６が、不活性ガスとともにノズル８から噴出する。
【００２２】
ノズル８から噴出する粒状消火剤６は、図２に示すように、漏洩した液体リチウムＬｉの表面を被覆し、液体リチウムＬｉを周囲環境から遮断して酸化または反応による発熱を抑制する。
【００２３】
このように、図１に示す液体リチウム用消火設備では、液体リチウムＬｉが漏洩して液体リチウム使用場所の温度が上昇すると、当該場所に配置した温度検出手段９からの温度検出信号９ｓに基づき制御手段１２が出力する作動信号１５ｓによって遠隔操作弁１５が開放され、ガス供給源１１内のアルゴンガスと密閉容器７内の粒状消火剤６とが、送給管１０を経てノズル８から噴出し、液体リチウム使用場所に漏洩した液体リチウムＬｉを被覆して、液体リチウムＬｉを空気などの雰囲気ガスから隔離するので、液体リチウムＬｉの酸化または反応による発熱を迅速に且つ確実に抑制することができる。
【００２４】
なお、本発明の液体リチウム用消火設備は上述した実施の形態のみに限定されるものではなく、本発明の要旨を逸脱しない範囲内において種々変更を加え得ることは勿論である。
【００２５】
【発明の効果】
以上述べたように、本発明の液体リチウム用消火設備によれば、液体リチウムが漏洩して液体リチウム使用場所の温度が上昇すると、当該場所に配置した温度検出手段からの温度検出信号に基づき制御手段が出力する作動信号によって遠隔操作弁が開放され、ガス供給源内の不活性ガスと密閉容器内の粒状消火剤とが、送給管を経てノズルから噴出し、液体リチウム使用場所に漏洩した液体リチウムを被覆するので、液体リチウムの発熱を迅速に且つ確実に抑制することができ、よって、大量の液体リチウムを使用する施設の安全性が向上する、という優れた効果を奏し得る。
【図面の簡単な説明】
【図１】本発明の液体リチウム用消火設備の実施の形態の一例を示す概念図である。
【図２】図１に関連する漏洩した液体リチウムに対する粒状消火剤の被覆状態を表す概念図である。
【図３】液体金属ループの一例を示す概念図である。
【符号の説明】
６          粒状消火剤
７          密閉容器
８          ノズル
９          温度検出手段
９ｓ        温度検出信号
１０          送給管
１１          ガス供給源
１２          制御手段
１５          遠隔操作弁
１５ｓ        作動信号
【図１】
0004374664.tif 000002
【図２】
0004374664.tif 000003
【図３】
0004374664.tif 000004